(57)【要約】【課題】  安価で組立作業を容易に行うこと。【解決手段】  押釦１６ａ〜１６ｄを押圧操作してタクトスイッチ１９ａ〜１９ｄをオン・オフ操作すると共に、それに連動して発光体２０により光ガイド体２２を通って表示孔２１を点滅させるようにしたスイッチ装置において、原板のＡＶ基板３以外の残余板から切り出した複数のスペーサ板２６を有し、その複数のスペーサ板２６を積み重ねて、該各スペーサ板２６のリード線挿通孔を同心状に位置決めし、その各リード線挿通孔に対して発光体２０のリード線２０ａを上方から挿通した後、該リード線２０ａをＡＶ基板３の貫通孔に挿通することにより、その発光体２０を各スペーサ板２６を介してＡＶ基板３上に載置するようにした。【選択図】        図２
0003113935.tif 000002
【実用新案登録請求の範囲】
【請求項１】
筐体本体と該筐体本体の前端開口部に着脱可能に嵌合される前板部とからなる筐体内に
、ＤＶＤ機器と原板から切り出した所定形状のＡＶ基板とが配置されたディスク装置であ
って、前記ＡＶ基板上の前端にタクトスイッチが配置されると共に、そのＡＶ基板上のタ
クトスイッチよりも後側に発光体が配置され、前記前板部に押釦が配置されると共に、該
前板部に貫設した表示孔に前端部を嵌入させ後端部を後方に延ばした光ガイド体が設けら
れ、その前板部を前記筐体本体の前端開口部に着脱可能に嵌合させることにより、前記押
釦がタクトスイッチに対向されると共に、前記光ガイド体の後端面が発光体に対向され、
該発光体とＡＶ基板との間に所定高さの合成樹脂成形品からなるスペーサを介在させるこ
とにより、その発光体が嵩上げされて光ガイド体の後端面に接近されており、前記押釦を
押圧操作してタクトスイッチをオン・オフ操作すると共に、それに連動して発光体により
光ガイド体を通って表示孔を点滅させるようにしたスイッチ装置において、前記合成樹脂
成形品からなるスペーサに代えて前記原板のＡＶ基板以外の残余板から切り出した複数の
スペーサ板が用いられ、その複数のスペーサ板を積み重ねた状態で、その上側スペーサ板
のリード線挿通孔の口径に比べてその下側スペーサ板のリード線挿通孔の口径が大きく設
定され、前記各スペーサ板の外周面に、周方向所定間隔をおいて複数の位置決め凹部が形
成されており、その適当な位置決め凹部に一方の手の指部を入れて複数のスペーサ板を積
み重ねた状態で挟持することにより、その各スペーサ板のリード線挿通孔を同心状に位置
決めし、その各リード線挿通孔に対して他方の手の指部で挟持した発光体のリード線を挿
通した後、該リード線をＡＶ基板の貫通孔に挿通することにより、その発光体を各スペー
サ板を介してＡＶ基板上に載置するようにしたことを特徴とするスイッチ装置。
【請求項２】
筐体本体と該筐体本体の前端開口部に着脱可能に嵌合される前板部とからなる筐体内に
、原板から切り出した所定形状の基板が配置され、該基板上の前端にタクトスイッチが配
置されると共に、その基板上のタクトスイッチよりも後側に発光体が配置され、前記前板
部に押釦が配置されると共に、該前板部に貫設した表示孔に前端部を嵌入させ後端部を後
方に延ばした光ガイド体が設けられ、その前板部を前記筐体本体の前端開口部に着脱可能
に嵌合させることにより、前記押釦がタクトスイッチに対向されると共に、前記光ガイド
体の後端面が発光体に対向され、該発光体と基板との間に所定高さのスペーサを介在させ
ることにより、その発光体が嵩上げされて光ガイド体の後端面に接近されており、前記押
釦を押圧操作してタクトスイッチをオン・オフ操作すると共に、それに連動して発光体に
より光ガイド体を通って表示孔を点滅させるようにしたスイッチ装置において、前記スペ
ーサが、前記原板の基板以外の残余板から切り出した複数のスペーサ板からなり、その複
数のスペーサ板を積み重ねて、該各スペーサ板のリード線挿通孔を同心状に位置決めし、
その各リード線挿通孔に対して発光体のリード線を挿通した後、該リード線を基板の貫通
孔に挿通することにより、その発光体を各スペーサ板を介して基板上に載置するようにし
たことを特徴とするスイッチ装置。
【請求項３】
複数のスペーサ板を積み重ねた状態で、その上側スペーサ板のリード線挿通孔の口径に
比べてその下側スペーサ板のリード線挿通孔の口径が大きく設定されていることを特徴と
する請求項２に記載のスイッチ装置。
【請求項４】
前記各スペーサ板の外周面に、周方向所定間隔をおいて複数の位置決め凹部が形成され
ており、その適当な位置決め凹部に指部を入れて複数のスペーサ板を積み重ねた状態で挟
持することにより、その各スペーサ板のリード線挿通孔を同心状に位置決めするようにし
たことを特徴とする請求項２または３に記載のスイッチ装置。
【考案の詳細な説明】
【技術分野】
【０００１】
本考案は、例えばディスク装置（ＤＶＤプレーヤやＤＶＤレコーダ）などに用いられる
スイッチ装置に関し、特に安価で組立作業を容易に行うことができるようにしたものであ
る。
【背景技術】
【０００２】
従来、ＤＶＤプレーヤの技術として図９〜図１１に示すものがある。これは、底板部１
Ａ及び天板部１Ｂからなる筐体本体１ａと、該筐体本体１ａの前端開口部に着脱可能に嵌
合される前板部１Ｃとからなる筐体１内に、ＤＶＤ機器２とＡＶ基板３とが配置され、該
ＡＶ基板３と前板部１Ｃとの間にスイッチ装置４が配置されている。なお、図１０中、５
はメイン基板である。
【０００３】
前記ＡＶ基板３は、平面視略Ｌ字状であって、図１２に示すように、矩形状原板Ｇから
２枚分切り出されており、その原板Ｇの両ＡＶ基板３で囲まれた残余板Ｇａは不用品とし
て放置されている。
【０００４】
前記ＤＶＤ機器２は、図１０に示すように、ディスクＤ載置用トレイ７を前後進ａ，ｂ
可能に支持するメインシャーシ８と、該メインシャーシ８に上下動可能に枢支されたドラ
イブシャーシ（図示せず）に搭載した光ピックアップ９及びターンテーブル１０とを有し
、該ターンテーブル１０に対向してメインシャーシ８に架設した横桁１１に磁石付きディ
スクホルダ１２が一定範囲内上下動可能に配置されている。なお、１３は前板部１Ｃの左
側（または右側）に形成したトレイ挿通孔である。
【０００５】
前記スイッチ装置４は、図１１に示すように、前板部１Ｃの右側（または左側）に左右
方向に沿って所定間隔ごとに貫設した複数の貫通孔１５に配置したパワー、ストップ、プ
レイ及びオープン・クローズ用の合成樹脂製押釦１６ａ〜１６ｄを有し、該各押釦１６ａ
〜１６ｄの裏面から下方に延びる弾性片１７の下端部が前板部１Ｃの裏面に固着され、該
各弾性片１７の裏面上端部から後方に略三角形状の突起部１８が一体突設され、該各突起
部１８に対向してＡＶ基板３の前端に複数のタクトスイッチ１９ａ〜１９ｄが配置されて
いる。
【０００６】
前記ＡＶ基板３上のタクトスイッチ１９ａ〜１９ｄよりも後側に例えばＬＥＤからなる
パワー用発光体２０が配置され、該発光体２０のリード線２０ａがＡＶ基板３の貫通孔に
挿通されて該ＡＶ基板３のプリント配線に半田付けされている、また、前板部１Ｃのパワ
ー用押釦１６ａの近傍に貫設した表示孔２１に前端部を嵌入させ後端部を後方に延ばした
側面視略Ｌ字状の例えばアクリル樹脂などの透光性樹脂からなる光ガイド体２２が設けら
れている。
【０００７】
ＤＶＤプレーヤの操作手順を説明すると、パワー用押釦１６ａを押圧することにより、
弾性片１７が後方に弾性変位され、突起部１８によりタクトスイッチ１９ａがオン操作さ
れ、それに連動して発光体２０により光ガイド体２２を通って表示孔２１を点灯させる。
これによって、パワーオン状態が目視により確認される。
【０００８】
次に、オープン・クローズ用押釦１６ｄを押圧することにより、上記と同様の手順でタ
クトスイッチ１９ｄがオン操作され、それに連動してトレイ７が前進ａされ、トレイ挿通
孔１３から前方にオープン状態で突出するトレイ７上にディスクＤを載置した後、オープ
ン・クローズ用押釦１６ｄを再度押圧することにより、タクトスイッチ１９ｄがオン操作
され、それ連動してトレイ７が後進ｂして筐体１内にクローズ状態で収納される（図１０
参照）。
【０００９】
続いて、プレイ用押釦１６ｃを押圧することにより、タクトスイッチ１９ｃがオン操作
され、それに連動してターンテーブル１０によりディスクＤが高速回転され、そのディス
クＤに記録されている情報が光ピックアップ９により読み取られ、その読み取った情報に
基づく映像がモニターに再生される。
【００１０】
また、ストップ用押釦１６ｂを押圧することにより、タクトスイッチ１９ｂがオン操作
され、それに連動してプレイ状態が停止される。
【００１１】
図１０に仮想線で示すように、前板部１Ｃを底板部１Ａの前端開口部に嵌合させて筐体
１を組み立てるときに、光ガイド体２２の後端部がタクトスイッチ１９ａ〜１９ｄに接触
して損傷されないようにするため、図１１に示すように、光ガイド体２２の後端面２２ａ
がタクトスイッチ１９ａ〜１９ｄよりも所定間隔αをおいて上方に位置決めされており、
これでは、その光ガイド体２２の後端面２２ａと発光体２０との間の間隔βが大きくなり
、発光体２０から光ガイド体２２に投射される光量が少なくなって、表示孔２１の輝度が
小さくなり、パワーオン状態を目視により確認することが困難になる。
【００１２】
上記難点を解消する技術として特許文献１などの記載したものがあり、その一例を図１
３及び図１４に基づいて説明すると、これは、中央にリード線挿通孔２４ａを貫設した合
成樹脂成形品からなる略円柱状スペーサ２４が用いられ、該スペーサ２４の高さｈが例え
ば４ｍｍ、その外径ｒが例えば５ｍｍに設定されており、そのスペーサ２４を指部で挟持
し、リード線挿通孔２４ａにリード線２０ａを挿通した後、該リード線２０ａをＡＶ基板
３の貫通孔に挿通することにより、発光体２０をスペーサ２４を介してＡＶ基板３に載置
する。
【特許文献１】実開平６−７０２７４号公報
【考案の開示】
【考案が解決しようとする課題】
【００１３】
上記従来の構成では、スペーサ２４を用いているので、光ガイド体２２の後端面２２ａ
と発光体２０との間の間隔βが小さくなり、その発光体２０から光ガイド体２２に投射さ
れる光量が増加して、表示孔２１の輝度が大きくなり、パワーオン状態を目視により容易
に確認することができる。しかし、スペーサ２４が合成樹脂成形品からなり、その成形に
要するコストが高くつく。
【００１４】
また、組立作業の際に、スペーサ２４の外径ｒが小さ過ぎるため、そのスペーサ２４を
指部で挟持してリード線挿通孔２４ａにリード線２０ａを挿入するのに手間がかかって面
倒である。
【００１５】
そこで、スペーサ２４の外径ｒを大きくして指部により挟持しやすくすることが考えら
れるが、これでは、その外径ｒを大きくした分だけスペーサ２４の材料費が高くつくこと
になる。
【００１６】
しかも、スペーサ２４の高さｈが一定であるため、設計変更により光ガイド体２２の後
端面２２ａの高さが変更されると、その変更に応じて高さｈを調整したスペーサ２４を新
たに成形する必要があり、この点でも、コストアップになる。
【００１７】
本考案は、上記従来の欠点に鑑み、安価で組立作業を容易に行うことができるようにし
たスイッチ装置を提供することを目的としている。
【課題を解決するための手段】
【００１８】
上記目的を達成するため、請求項１に記載の考案は、筐体本体と該筐体本体の前端開口
部に着脱可能に嵌合される前板部とからなる筐体内に、ＤＶＤ機器と原板から切り出した
所定形状のＡＶ基板とが配置されたディスク装置であって、前記ＡＶ基板上の前端にタク
トスイッチが配置されると共に、そのＡＶ基板上のタクトスイッチよりも後側に発光体が
配置され、前記前板部に押釦が配置されると共に、該前板部に貫設した表示孔に前端部を
嵌入させ後端部を後方に延ばした光ガイド体が設けられ、その前板部を前記筐体本体の前
端開口部に着脱可能に嵌合させることにより、前記押釦がタクトスイッチに対向されると
共に、前記光ガイド体の後端面が発光体に対向され、該発光体とＡＶ基板との間に所定高
さの合成樹脂成形品からなるスペーサを介在させることにより、その発光体が嵩上げされ
て光ガイド体の後端面に接近されており、前記押釦を押圧操作してタクトスイッチをオン
・オフ操作すると共に、それに連動して発光体により光ガイド体を通って表示孔を点滅さ
せるようにしたスイッチ装置において、前記合成樹脂成形品からなるスペーサに代えて前
記原板のＡＶ基板以外の残余板から切り出した複数のスペーサ板が用いられ、その複数の
スペーサ板を積み重ねた状態で、その上側スペーサ板のリード線挿通孔の口径に比べてそ
の下側スペーサ板のリード線挿通孔の口径が大きく設定され、前記各スペーサ板の外周面
に、周方向所定間隔をおいて複数の位置決め凹部が形成されており、その適当な位置決め
凹部に一方の手の指部を入れて複数のスペーサ板を積み重ねた状態で挟持することにより
、その各スペーサ板のリード線挿通孔を同心状に位置決めし、その各リード線挿通孔に対
して他方の手の指部で挟持した発光体のリード線を挿通した後、該リード線をＡＶ基板の
貫通孔に挿通することにより、その発光体を各スペーサ板を介してＡＶ基板上に載置する
ようにしたことを特徴としている。
【００１９】
請求項２に記載の考案は、筐体本体と該筐体本体の前端開口部に着脱可能に嵌合される
前板部とからなる筐体内に、原板から切り出した所定形状の基板が配置され、該基板上の
前端にタクトスイッチが配置されると共に、その基板上のタクトスイッチよりも後側に発
光体が配置され、前記前板部に押釦が配置されると共に、該前板部に貫設した表示孔に前
端部を嵌入させ後端部を後方に延ばした光ガイド体が設けられ、その前板部を前記筐体本
体の前端開口部に着脱可能に嵌合させることにより、前記押釦がタクトスイッチに対向さ
れると共に、前記光ガイド体の後端面が発光体に対向され、該発光体と基板との間に所定
高さのスペーサを介在させることにより、その発光体が嵩上げされて光ガイド体の後端面
に接近されており、前記押釦を押圧操作してタクトスイッチをオン・オフ操作すると共に
、それに連動して発光体により光ガイド体を通って表示孔を点滅させるようにしたスイッ
チ装置において、前記スペーサが、前記原板の基板以外の残余板から切り出した複数のス
ペーサ板からなり、その複数のスペーサ板を積み重ねて、該各スペーサ板のリード線挿通
孔を同心状に位置決めし、その各リード線挿通孔に対して発光体のリード線を挿通した後
、該リード線を基板の貫通孔に挿通することにより、その発光体を各スペーサ板を介して
基板上に載置するようにしたことを特徴としている。
【００２０】
請求項３に記載の考案は、請求項２に記載の考案において、複数のスペーサ板を積み重
ねた状態で、その上側スペーサ板のリード線挿通孔の口径に比べてその下側スペーサ板の
リード線挿通孔の口径が大きく設定されていることを特徴としている。
【００２１】
請求項４に記載の考案は、請求項２または３に記載の考案において、前記各スペーサ板
の外周面に、周方向所定間隔をおいて複数の位置決め凹部が形成されており、その適当な
位置決め凹部に指部を入れて複数のスペーサ板を積み重ねた状態で挟持することにより、
その各スペーサ板のリード線挿通孔を同心状に位置決めするようにしたことを特徴として
いる。
【考案の効果】
【００２２】
請求項１に記載の考案は、第１から第３の実施の形態（図１〜図８参照）に対応するも
のであって、これによれば、発光体と基板との間に複数のスペーサ板を積み重ねて介在さ
せることにより、該発光体が嵩上げされて光ガイド体の後端面に接近されているので、そ
の発光体から光ガイド体に投射される光量が増加して、表示孔の輝度が大きくなり、その
表示孔の点滅状態を目視により容易に確認することができる。しかも、前記各スペーサ板
が原板の基板以外の残余板により形成されているので、材料費がほぼゼロに等しく、従来
の合成樹脂成形品からなるスペーサに比べて大幅にコストダウンを図ることができる。
【００２３】
また、残余板を有効利用して広幅のスペーサ板を形成することにより、その広幅の複数
のスペーサ板を指部で容易につかんで積み重ねることができ、これによって、各スペーサ
板のリード線挿通孔に対し発光体のリード線を挿通する組立作業を迅速に行うことができ
る。
【００２４】
更に、設計変更により光ガイド体の後端面の高さが変更された場合には、その変更に応
じてスペーサ板の積み重ね枚数を調整するだけで、その光ガイド体の後端面と発光体との
間の間隔を適正に設定することができ、使い勝手がよい。
【００２５】
また更に、複数のスペーサ板を積み重ねた状態で、該各スペーサ板のリード線挿通孔が
互いに製作誤差により少し位置ずれしていたとしても、その上側スペーサ板のリード線挿
通孔の口径に比べてその下側スペーサ板のリード線挿通孔の口径が大きく設定されている
から、その各リード線挿通孔に対して発光体のリード線を引っ掛からないように確実に挿
通することができる。
【００２６】
しかも、スペーサ板の外周面に形成した適当な位置決め凹部に指部を入れて複数のスペ
ーサ板を積み重ねた状態で挟持するだけで、その各スペーサ板のリード線挿通孔が同心状
に位置決めされるから、その各リード線挿通孔に対して発光体のリード線を容易に挿通す
ることができる。
【００２７】
要するに、安価で組立作業を容易に行うことができ発光体による鮮明な点滅表示を可能
にしたディスク装置を提供することができる。
【００２８】
請求項２に記載の考案は基本形態に対応するものであって、これによれば、発光体と基
板との間に複数のスペーサ板を積み重ねて介在させることにより、該発光体が嵩上げされ
て光ガイド体の後端面に接近されているので、その発光体から光ガイド体に投射される光
量が増加して、表示孔の輝度が大きくなり、その表示孔の点滅状態を目視により容易に確
認することができる。しかも、前記各スペーサ板が原板の基板以外の残余板により形成さ
れているので、材料費がほぼゼロに等しく、従来の合成樹脂成形品からなるスペーサに比
べて大幅にコストダウンを図ることができる。
【００２９】
また、残余板を有効利用して広幅のスペーサ板を形成することにより、その広幅の複数
のスペーサ板を指部で容易につかんで積み重ねることができ、これによって、各スペーサ
板のリード線挿通孔に対し発光体のリード線を挿通する組立作業を迅速容易に行うことが
できる。
【００３０】
更に、設計変更により光ガイド体の後端面の高さが変更された場合には、その変更に応
じてスペーサ板の積み重ね枚数を調整するだけで、その光ガイド体の後端面と発光体との
間の間隔を適正に設定することができ、使い勝手がよい。
【００３１】
請求項３に記載の考案によれば、複数のスペーサ板を積み重ねた状態で、該各スペーサ
板のリード線挿通孔が互いに製作誤差により少し位置ずれしていたとしても、その上側ス
ペーサ板のリード線挿通孔の口径に比べてその下側スペーサ板のリード線挿通孔の口径が
大きく設定されているから、その各リード線挿通孔に対して発光体のリード線を引っ掛か
らないように確実に挿通することができる。
【００３２】
請求項４に記載の考案によれば、スペーサ板の外周面に形成した適当な位置決め凹部に
指部を入れて複数のスペーサ板を積み重ねた状態で挟持するだけで、その各スペーサ板の
リード線挿通孔が同心状に位置決めされるから、その各リード線挿通孔に対して発光体の
リード線を容易に挿通することができる。
【考案を実施するための最良の形態】
【００３３】
図１〜図４は本考案の第１の実施の形態であるスイッチ装置４を備えたＤＶＤプレーヤ
を示すものであって、発光体２０とＡＶ基板（基板）３との間に複数のスペーサ板２６が
積み重ねた状態で介在されている。上記以外の構成は図９〜図１２に示す構成をほぼ同じ
であるから、同一部分に同一符号を付してその説明を省略する。
【００３４】
前記スペーサ板２６は、図４に示すように、矩形状原板ＧからＡＶ基板３を２枚分切り
出した後の残余板Ｇａから矩形状に複数枚（この実施の形態では４枚）切り出されており
、その中央にリード線挿通孔２６ａが貫設されている。また、図２及び図３に示すように
、各スペーサ２４の厚さｔが例えば２ｍｍであって、２枚分積み重ねることにより、従来
のスペーサ２４（図１３参照）とほぼ同一高さｈにすることができる。更に、各スペーサ
板２６の横幅ｄ１及び縦幅ｄ２が例えば１０ｍｍの広幅に設定されている。
【００３５】
組立手順を説明すると、２枚のスペーサ板２６を積み重ねて、該各スペーサ板２６のリ
ード線挿通孔２６ａを同心状に位置決めし、その各リード線挿通孔２６ａに対して発光体
２０のリード線２０ａを上方から挿通した後、該リード線２０ａをＡＶ基板３の貫通孔に
挿通することにより、その発光体２０を各スペーサ板２６を介してＡＶ基板３上に載置す
る（図２参照）。
【００３６】
上記構成によれば、発光体２０とＡＶ基板３との間に２枚のスペーサ板２６を積み重ね
て介在させることにより、該発光体２０が嵩上げされて光ガイド体２２の後端面２２ａに
接近され、その後端面２２ａと発光体２０との間の間隔βが小さく適正に設定されるので
、その発光体２０から光ガイド体２２に投射される光量が増加して、表示孔２１の輝度が
大きくなり、パワーオン状態を目視により鮮明に確認することができる。しかも、前記各
スペーサ板２６が原板ＧのＡＶ基板３以外の残余板Ｇａにより形成されているので、材料
費がほぼゼロに等しく、従来の合成樹脂成形品からなるスペーサ２４（図１４参照）に比
べて大幅にコストダウンを図ることができる。
【００３７】
また、残余板Ｇａを有効利用して広幅ｄ１，ｄ２のスペーサ板２６を形成することによ
り、その広幅の２枚のスペーサ板２６を指部で容易につかんで積み重ねることができ、こ
れによって、各スペーサ板２６のリード線挿通孔２６ａに対し発光体２０のリード線２０
ａを挿通する組立作業を迅速容易に行うことができる。
【００３８】
更に、設計変更により光ガイド体２２の後端面２２ａの高さが変更されて、例えばその
後端面２２ａとＡＶ基板３との間の間隔が広がった場合には、その変更に応じてスペーサ
板２６の積み重ね枚数を３枚または４枚と増やすだけで、その光ガイド体２２の後端面２
２ａと発光体２０との間の間隔βを適正に設定することができ、使い勝手がよい。
【００３９】
要するに、安価で組立作業を容易に行うことができ発光体２０による鮮明な点滅表示を
可能にしたＤＶＤプレーヤを提供することができる。
【００４０】
上記した第１の実施の形態では、各スペーサ板２６のリード線挿通孔２６ａの口径を同
一に設定したが、これに限定されるわけではなく、図５に示すように、２枚のスペーサ板
２６を積み重ねた状態で、その上側スペーサ板２６のリード線挿通孔２６ａの口径ｅ１に
比べてその下側スペーサ板２６のリード線挿通孔２６ａの口径ｅ２を大きく設定してもよ
い（第２の実施の形態）。
【００４１】
上記構成によれば、２枚のスペーサ板２６を積み重ねた状態で、該各スペーサ板２６の
リード線挿通孔２６ａが互いに製作誤差により少し位置ずれしていたとしても、その各リ
ード線挿通孔２６ａに対して発光体２０のリード線２０ａを引っ掛からないように確実に
挿通することができる。
【００４２】
図６〜図８は本考案の第３の実施の形態を示すものであって、図６に示すように、残余
板Ｇａから複数枚（この実施の形態では４枚）の矩形状スペーサ板２６を切り出す際に、
その各スペーサ板２６の角部に対応する位置に円形孔２７を貫設し、これによって、図７
に示すように、各スペーサ板２６の外周面に、周方向所定間隔をおいて複数の位置決め凹
部２６ｂが形成されている。上記以外の構成は第１、第２の実施の形態（図１〜図５参照
）とほぼ同じであるから、同一部分に同一符号を付してその説明を省略する。
【００４３】
上記構成によれば、図８に示すように、一方の手の指部を適当な位置決め凹部２６ｂに
入れて２枚のスペーサ板２６を積み重ねた状態で挟持するだけで、該各スペーサ板２６の
リード線挿通孔２６ａを同心状に位置決めすることができるから、他方の手の指部で挟持
した発光体２０のリード線２０ａを上方からリード線挿通孔２６ａに容易に挿通すること
ができる。
【産業上の利用可能性】
【００４４】
第１から第３の各実施の形態では、２枚のスペーサ板２６を積み重ねるようにしたが、
これに限定されるわけではなく、光ガイド体２２の後端面２２ａの高さに合わせて、３枚
またはそれ以上の枚数を積み重ねるようにしてもよい。
【００４５】
また、ＤＶＤプレーヤを例にあげて説明したが、これに限定されるわけではなく、ＤＶ
Ｄレコーダ（ディスク装置）やテレビジョン受像機などの各種電子機器にも適用される。
【図面の簡単な説明】
【００４６】
【図１】本考案の第１の実施の形態であるスイッチ装置を備えたＤＶＤプレーヤを示す水平断面図である。
【図２】同スイッチ装置の拡大縦断面図である。
【図３】同要部の分解斜視図である。
【図４】同スペーサ板形成用原板の平面図である。
【図５】本考案の第２の実施の形態であるスイッチ装置における要部の分解斜視図である。
【図６】本考案の第３の実施の形態であるスイッチ装置におけるスペーサ板形成用原板の平面図である。
【図７】同要部の分解斜視図である。
【図８】同組立作業を示す斜視図である。
【図９】従来の一例を示す斜視図である。
【図１０】同水平断面図である。
【図１１】同スイッチ装置の拡大縦断面図である。
【図１２】同原板の平面図である。
【図１３】従来の要部の分解斜視図である。
【図１４】同要部の分解斜視図である。
【符号の説明】
【００４７】
１              筐体
１ａ            筐体本体
１Ｃ            筐体の前板部
２              ＤＶＤ機器
３              ＡＶ基板（基板）
４              スイッチ装置
１６ａ〜１６ｄ  押釦
１９ａ〜１９ｄ  タクトスイッチ
２０            発光体
２０ａ          発光体のリード線
２１            表示孔
２２            光ガイド体
２２ａ          光ガイド体の後端面
２４            スペーサ
２６            スペーサ板
２６ａ          スペーサ板のリード線挿通孔
２６ｂ          スペーサ板の位置決め凹部
Ｇ              原板
Ｇａ            残余板
ｅ１，ｅ２      リード線挿通孔の口径
【図１】
0003113935.tif 000003
【図２】
0003113935.tif 000004
【図３】
0003113935.tif 000005
【図４】
0003113935.tif 000006
【図５】
0003113935.tif 000007
【図６】
0003113935.tif 000008
【図７】
0003113935.tif 000009
【図８】
0003113935.tif 000010
【図９】
0003113935.tif 000011
【図１０】
0003113935.tif 000012
【図１１】
0003113935.tif 000013
【図１２】
0003113935.tif 000014
【図１３】
0003113935.tif 000015
【図１４】
0003113935.tif 000016